【手続補正書】
【提出日】平成16年7月22日(2004.7.22)
【手続補正１】
【補正対象書類名】明細書
【補正対象項目名】特許請求の範囲
【補正方法】変更
【補正の内容】
【特許請求の範囲】
【請求項１】
進行中の入力を監視して、予め定めたタイプの事象を検出してレポートする装置であって、該装置は、
前記進行中の入力が満たすべき１または複数の基準からなる基準セットによって事象が定義された事象定義を記憶する手段と、
前記基準セットを満たす事象の発生を検出するよう前記進行中の入力を監視する監視手段と、
前記検出された事象に関するデータを含むレポートストリームを生成する報告手段であって、該レポートストリームのデータレートは、検出される事象の数に伴って増加する、報告手段と、
前記レポートストリームのデータレートを示す表示を生成する手段と、
前記表示に従って、前記レポートストリームのデータレートを調整する制御手段であって、該調整は、より選択的な形の前記基準セットで検出される事象が、より選択的でない形の前記基準セットで検出される事象の一部分を構成するような態様で前記基準セットの選択性が変更されるように、前記事象定義を変更することによって行われる、制御手段と、
を備える、装置。
【請求項２】
前記制御手段は、さらに、
上限および下限のしきい値のデータレートを定義する基準手段と、
前記しきい値のデータレートと、前記レポートストリームのデータレートを示す表示とに応じて、該レポートストリームのデータレートが前記上限のしきい値のデータレートを超えたことを該表示が示す場合には、前記基準セットの選択性を増やし、該レポートストリームのデータレートが前記下限のしきい値のデータレートを下回ったことを該表示が示す場合には、前記基準セットの選択性を減らす、調整手段を備える、
請求項１に記載の装置。
【請求項３】
前記レポートストリームは、他のトラヒックをも搬送することができるデータリンク上に出力され、前記基準手段は、さらに、
前記リンクのトラヒックの負荷を測定する負荷測定手段と、
前記リンクのトラヒックの負荷が大きいほど、前記しきい値のデータレートが低くなるように、前記測定されたトラヒックに従って前記しきい値のデータレートを調整する手段と、
を備える請求項２に記載の装置。
【請求項４】
前記制御手段は、
それぞれが異なる選択性を持つ予め定めた形式間で、前記基準セットの現在使用中の形式を変更することにより、該基準セットの選択性を変更するよう動作し、
該選択性の変更のそれぞれは、該基準セットの現在使用中の形式から、選択性の観点上該現在使用中の形式に近い形式へと変更されるように行われる、
請求項１に記載の装置。
【請求項５】
前記進行中の入力は、ネットワークによる接続を介して転送中の連続したデータユニットを表す、
請求項１に記載の装置。
【請求項６】
前記報告手段は、検出された事象のそれぞれについて、該事象の署名の特徴を有する事象報告を生成するよう動作し、該報告手段は、さらに、該事象に関係する少なくとも１つの前記データユニットから成るグループから、該署名を得る署名手段を含んでおり、
前記制御手段は、それぞれが異なる選択性を持つ予め定めた形式間で、前記基準セットの現在使用中の形式を変更することにより、該基準セットの選択性を変更し、該制御手段は、さらに、該基準セットの現在使用中の形式を特定するための基準セット・データを提供し、
前記監視手段は、前記基準セットの現在使用中の形式に基づいて或る事象を検出した時、次により選択的な形の基準セットが該現在使用中の基準セットであったならば該事象が検出されるかどうかを示す表示を提供し、
前記報告手段は、同じ事象に関連づけられる前記表示を、それぞれの前記事象報告に含めるよう動作し、前記レポートストリームは、前記事象報告および前記基準セット・データを含む、
請求項５に記載の装置。
【請求項７】
ネットワークの第１および第２の地点の間でデータユニットを転送する接続によって提供されるサービスの品質を測定するためのシステムであって、該システムは、該第１および第２の地点のそれぞれに関連付けられた事象取得手段を備えており、
前記事象取得手段のそれぞれは、請求項６に記載の装置を備えており、該装置の前記監視手段は、前記第１および第２の地点のそれぞれに対応して、前記接続を監視するよう配置されており、該第１の地点に関連付けられた該事象取得手段の前記報告手段により生成されるレポートストリームは、ソースレポートストリームを形成し、該第２の地点に関連付けられた事象取得手段の前記報告手段により生成されるレポートストリームは、シンクレポートストリームを形成し、
該システムは、さらに、
前記ソースレポートストリームおよび前記シンクレポートストリームを受信し、該２つのレポートストリームの署名を突き合わせることによって同じ事象に関連する事象報告を対にして、一致済み事象報告対を生成する、相関手段と、
前記一致済み事象報告対を使用して、前記第１および第２の地点の間の前記接続の動作に関して、サービス品質を測定する測定手段と、
を備えており、前記相関手段は、さらに、
１つのストリームで報告された事象が、他のストリームで報告された事象より、より選択的な基準セットを用いて検出されたかどうかを、前記ソースレポートストリームおよび前記シンクレポートストリームの基準セットのデータから判定する第１の手段と、
前記第１の手段により、前記１つのストリームで報告された事象が、前記他のストリームで報告された事象より、より選択的な基準セットを用いて検出されたと判定されたならば、関連する前記表示に従って、該他のストリームにおける事象を無視する第２の手段であって、該無視される該他のストリームの事象は、該事象を検出するのに実際に用いられた基準セットよりも、より選択的な基準セットでは検出されないであろう事象である、第２の手段と、
を備える、システム。
【請求項８】
進行中の入力を監視して、予め定めたタイプの事象を検出し報告する方法であって、
（ａ）前記進行中の入力を監視して、１つまたは複数の基準から成る基準セットを満たす事象の発生を検出するステップと、
（ｂ）前記検出された事象に関するデータを含むレポートストリームを生成するステップであって、該レポートストリームのデータレートは、該検出された事象の数に伴って増加する、ステップと、
（ｃ）前記レポートストリームのデータレートの表示を生成するステップと、
（ｄ）前記表示に従って前記レポートストリームのデータレートを調整するステップであって、より選択的な形の前記基準セットで検出された事象が、より選択的でない形の基準セットで検出される事象の一部分を構成するような態様で前記基準セットの選択性を変更することによって、前記レポートストリームのデータレートを調整するステップと、
を含む、方法。
【請求項９】
前記ステップ（ｄ）は、さらに、
前記レポートストリームのデータレートが、上限のしきい値のデータレートを超えたことを前記表示が示す場合には、前記基準セットの選択性を増加するステップと、
前記レポートストリームのデータレートが、下限のしきい値のデータレートを下回ったことを前記表示が示す場合には、前記基準セットの選択性を減少するステップと、
を含む、請求項８に記載の方法。
【請求項１０】
前記レポートストリームは、他のトラヒックをも搬送するデータリンク上に出力され、
前記ステップ（ａ）は、さらに、前記リンクのトラヒックの負荷が大きいほど、前記しきい値のデータレートが小さくなるように、前記リンクのトラヒックの負荷に従って前記しきい値のデータレートを生成するステップを含む、
請求項９に記載の方法。
【請求項１１】
前記ステップ（ｄ）は、さらに、
それぞれが異なる選択性を持つ予め定めた形式間で、前記基準セットの現在使用中の形式を変更することにより該基準セットの選択性を変更するステップを含んでおり、該選択性の変更のそれぞれは、該基準セットの現在使用中の形式から、選択性の観点上該現在使用中の形式に近い形式へと変更される、
請求項８に記載の方法。
【請求項１２】
前記進行中の入力は、ネットワークによる接続を介して転送中の連続したデータユニットを表しており、前記基準セットは、該ネットワークによる接続に関連した少なくとも１つの前記データユニットから成るグループが満足すべき１つまたは複数の基準を含む、
請求項８に記載の方法。